(57)【要約】  本発明は、ネットワーク側装置（ＡＰＳ１，ＡＰＳ２，ＡＮＴ−Ａ，ＡＮＴ−Ｂ，ＡＮＴ−Ｃ，ＡＮＴ−Ｄ、ＡＮＴ−Ｅ）および無線局（ＭＳ）を包含する無線通信システムにおける通信方法に関する。ネットワーク側アンテナによって無線局のメッセージが受信される。続いて多数のネットワーク側アンテナを介して無線局に有効データメッセージが伝送される。本発明によれば、多数のネットワーク側アンテナへの複数のネットワーク側アンテナの所属は、どのネットワーク側アンテナが無線局のメッセージを受信したかに依存する。さらに本発明は、本方法を実施するためのネットワーク側装置（ＡＰＳ１）およびコンピュータプログラム製品に関する。
2007523552.tif 000002
【特許請求の範囲】
【請求項１】
ネットワーク側装置（ＡＰＳ１，ＡＰＳ２，ＡＮＴ−Ａ，ＡＮＴ−Ｂ，ＡＮＴ−Ｃ，ＡＮＴ−Ｄ、ＡＮＴ−Ｅ）および無線局（ＭＳ）を包含する無線通信システムにおける通信方法であって、
ネットワーク側アンテナ（ＡＮＴ−Ａ，ＡＮＴ−Ｂ，ＡＮＴ−Ｃ，ＡＮＴ−Ｄ、ＡＮＴ−Ｅ）によって無線局（ＭＳ）のメッセージ（ＡＤＤ）を受信し、
続いて、有効データメッセージ（ＤＡＴＡ）を多数のネットワーク側アンテナ（ＡＮＴ−Ａ，ＡＮＴ−Ｂ，ＡＮＴ−Ｃ，ＡＮＴ−Ｄ、ＡＮＴ−Ｅ）を介して前記無線局（ＭＳ）に伝送し、
前記多数のネットワーク側アンテナ（ＡＮＴ−Ａ，ＡＮＴ−Ｂ，ＡＮＴ−Ｃ，ＡＮＴ−Ｄ、ＡＮＴ−Ｅ）への複数のネットワーク側アンテナ（ＡＮＴ−Ａ，ＡＮＴ−Ｂ，ＡＮＴ−Ｃ，ＡＮＴ−Ｄ、ＡＮＴ−Ｅ）の所属は、どのネットワーク側アンテナ（ＡＮＴ−Ａ，ＡＮＴ−Ｂ，ＡＮＴ−Ｃ，ＡＮＴ−Ｄ、ＡＮＴ−Ｅ）が前記無線局（ＭＳ）の前記メッセージ（ＡＤＤ）を受信したかに依存する、無線通信システムにおける通信方法において、
前記無線局（ＭＳ）に応答メッセージ（ＡＤＤ）の送信を要求するシグナリングメッセージ（ＡＤＲ）を少なくとも１つのネットワーク側アンテナ（ＡＮＴ−Ａ，ＡＮＴ−Ｂ，ＡＮＴ−Ｃ，ＡＮＴ−Ｄ、ＡＮＴ−Ｅ）を介して前記無線局（ＭＳ）に伝送し、
ネットワーク側において受信される前記メッセージ（ＡＤＤ）は前記シグナリングメッセージ（ＡＤＲ）の受信に基づき送信される応答メッセージ（ＡＤＤ）であることを特徴とする、無線通信システムにおける通信方法。
【請求項２】
前記シグナリングメッセージ（ＡＤＲ）を規則的な第１の時間間隔をおいて送信する、請求項１記載の方法。
【請求項３】
前記シグナリングメッセージ（ＡＤＲ）と同じタイプのメッセージが最後に送信されて以来所定の第２の時間間隔が経過しているという条件下で、前記有効データメッセージ（ＤＡＴＡ）の送信の前に前記シグナリングメッセージ（ＡＤＲ）を前記無線局（ＭＳ）に送信する、請求項１または２記載の方法。
【請求項４】
前記シグナリングメッセージ（ＡＤＲ）を前記無線通信システムの１つまたは複数の無線セル（ＦＺ１，ＦＺ２）の全てのネットワーク側アンテナ（ＡＮＴ−Ａ，ＡＮＴ−Ｂ，ＡＮＴ−Ｃ，ＡＮＴ−Ｄ，ＡＮＴ−Ｅ）を介して、または前記無線通信システムの全てのネットワーク側アンテナ（ＡＮＴ−Ａ，ＡＮＴ−Ｂ，ＡＮＴ−Ｃ，ＡＮＴ−Ｄ，ＡＮＴ−Ｅ）を介して送信する、請求項１から３までのいずれか１項記載の方法。
【請求項５】
前記多数のネットワーク側アンテナ（ＡＮＴ−Ａ，ＡＮＴ−Ｂ，ＡＮＴ−Ｃ，ＡＮＴ−Ｄ，ＡＮＴ−Ｅ）は前記無線通信システムの同一の無線セル（ＦＺ１，ＦＺ２）に属するか、
前記多数のネットワーク側アンテナ（ＡＮＴ−Ａ，ＡＮＴ−Ｂ，ＡＮＴ−Ｃ，ＡＮＴ−Ｄ，ＡＮＴ−Ｅ）の内の少なくとも幾つかのネットワーク側アンテナ（ＡＮＴ−Ａ，ＡＮＴ−Ｂ，ＡＮＴ−Ｃ，ＡＮＴ−Ｄ，ＡＮＴ−Ｅ）が前記無線通信システムの種々の無線セル（ＦＺ１，ＦＺ２）に属する、請求項１から４までのいずれか１項記載の方法。
【請求項６】
前記シグナリングメッセージ（ＡＤＲ）は、該シグナリングメッセージ（ＡＤＲ）を送信するネットワーク側アンテナ（ＡＮＴ−Ａ，ＡＮＴ−Ｂ，ＡＮＴ−Ｃ，ＡＮＴ−Ｄ，ＡＮＴ−Ｅ）を有するそれぞれの無線セル（ＦＺ１，ＦＺ２）の識別情報を包含し、
前記応答メッセージ（ＡＤＤ，ＡＣＫ）は、前記無線局（ＭＳ）が前記シグナリングメッセージ（ＡＤＲ）を受信した１つまたは複数のネットワーク側アンテナ（ＡＮＴ−Ａ，ＡＮＴ−Ｂ，ＡＮＴ−Ｃ，ＡＮＴ−Ｄ，ＡＮＴ−Ｅ）を有する１つまたは複数の無線セル（ＦＺ１，ＦＺ２）の識別情報を包含する、請求項１から５までのいずれか１項記載の方法。
【請求項７】
無線通信システムにおけるネットワーク側装置（ＡＰＳ１）において、
無線局（ＭＳ）のメッセージをネットワーク側アンテナ（ＡＮＴ−Ａ，ＡＮＴ−Ｂ，ＡＮＴ−Ｃ，ＡＮＴ−Ｄ、ＡＮＴ−Ｅ）を介して受信するため、またはネットワーク側アンテナ（ＡＮＴ−Ａ，ＡＮＴ−Ｂ，ＡＮＴ−Ｃ，ＡＮＴ−Ｄ、ＡＮＴ−Ｅ）を介して受信された無線局（ＭＳ）のメッセージ（ＡＤＤ）の受信に関する情報を受信するための手段（ＲＥＣＥＩＶＥ）を有し、ネットワーク側において受信された前記メッセージ（ＡＤＤ）は、少なくとも１つのネットワーク側アンテナ（ＡＮＴ−Ａ，ＡＮＴ−Ｂ，ＡＮＴ−Ｃ，ＡＮＴ−Ｄ、ＡＮＴ−Ｅ）を介して前記無線局（ＭＳ）に伝送され、応答メッセージ（ＡＤＤ）の送信を前記無線局（ＭＳ）に要求するシグナリングメッセージ（ＡＤＲ）の受信に基づき送信される応答メッセージ（ＡＤＤ）であり、
多数のネットワーク側アンテナ（ＡＮＴ−Ａ，ＡＮＴ−Ｂ，ＡＮＴ−Ｃ，ＡＮＴ−Ｄ、ＡＮＴ−Ｅ）を介して有効データメッセージ（ＤＡＴＡ）を前記無線局（ＭＳ）に送信することを指示する手段（ＩＮＳＴＲＵＣＴ）を有し、
どのネットワーク側アンテナ（ＡＮＴ−Ａ，ＡＮＴ−Ｂ，ＡＮＴ−Ｃ，ＡＮＴ−Ｄ、ＡＮＴ−Ｅ）が前記無線局（ＭＳ）の前記メッセージ（ＡＤＤ）を受信したかに依存して、前記多数のネットワーク側アンテナ（ＡＮＴ−Ａ，ＡＮＴ−Ｂ，ＡＮＴ−Ｃ，ＡＮＴ−Ｄ、ＡＮＴ−Ｅ）への複数のネットワーク側アンテナ（ＡＮＴ−Ａ，ＡＮＴ−Ｂ，ＡＮＴ−Ｃ，ＡＮＴ−Ｄ、ＡＮＴ−Ｅ）の所属を決定する手段（ＤＥＣＩＤＥ）を有することを特徴とする、無線通信システムにおけるネットワーク側装置。
【請求項８】
無線通信システムにおけるネットワーク側装置（ＡＰＳ１）用のコンピュータプログラム製品において、
ネットワーク側アンテナ（ＡＮＴ−Ａ，ＡＮＴ−Ｂ，ＡＮＴ−Ｃ，ＡＮＴ−Ｄ、ＡＮＴ−Ｅ）を介して受信された無線局（ＭＳ）のメッセージ（ＡＤＤ）の受信に関する情報を受信するための手段を有し、ネットワーク側において受信された前記メッセージ（ＡＤＤ）は、少なくとも１つのネットワーク側アンテナ（ＡＮＴ−Ａ，ＡＮＴ−Ｂ，ＡＮＴ−Ｃ，ＡＮＴ−Ｄ、ＡＮＴ−Ｅ）を介して前記無線局（ＭＳ）に伝送され、応答メッセージ（ＡＤＤ）の送信を前記無線局（ＭＳ）に要求するシグナリングメッセージ（ＡＤＲ）の受信に基づき送信される応答メッセージ（ＡＤＤ）であり、
多数のネットワーク側アンテナ（ＡＮＴ−Ａ，ＡＮＴ−Ｂ，ＡＮＴ−Ｃ，ＡＮＴ−Ｄ、ＡＮＴ−Ｅ）を介して有効データメッセージ（ＤＡＴＡ）が前記無線局（ＭＳ）に送信されることを規定する手段を有し、
どのネットワーク側アンテナ（ＡＮＴ−Ａ，ＡＮＴ−Ｂ，ＡＮＴ−Ｃ，ＡＮＴ−Ｄ、ＡＮＴ−Ｅ）が前記無線局（ＭＳ）の前記メッセージ（ＭＥＳＳＡＧＥ；ＡＤＤ，ＡＣＫ）を受信したかに依存して、前記多数のネットワーク側アンテナ（ＡＮＴ−Ａ，ＡＮＴ−Ｂ，ＡＮＴ−Ｃ，ＡＮＴ−Ｄ、ＡＮＴ−Ｅ）への複数のネットワーク側アンテナ（ＡＮＴ−Ａ，ＡＮＴ−Ｂ，ＡＮＴ−Ｃ，ＡＮＴ−Ｄ、ＡＮＴ−Ｅ）の所属を決定する手段を有することを特徴とする、コンピュータプログラム製品。
【発明の詳細な説明】
【技術分野】
【０００１】
本発明は、請求項１の上位概念による無線通信システムにおける通信方法に関する。さらに本発明は、本方法を実施するためのネットワーク側装置およびコンピュータプログラム製品に関する。
【０００２】
無線通信システムにおいては、例えば音声情報、画像情報、ビデオ情報、ＳＭＳ（ショートメッセージサービス）、ＭＭＳ（マルチメディアメッセージサービス）または他のデータを有するシグナリングメッセージまたは有効データメッセージのようなメッセージが電磁波を用いることにより無線インタフェースを介して送信局と受信局との間で伝送される。ここで局は無線通信システムの具体的な構成に応じて、種々の加入者側無線局およびネットワーク側無線装置でよい。移動無線通信システムにおいては加入者側無線局の少なくとも一部が移動無線局である。電磁波の放射は、それぞれのシステムに対して設けられている周波数帯域内にあるキャリア周波数を用いて行われる。
【０００３】
移動無線通信システムは、例えばＧＳＭ（Global System for Mobile Communication）またはＵＭＴＳ（Universal Mobile Telecommunications System）標準に準拠したセルラシステムとして、複数の基地局およびそれらの基地局を監視および制御する機構のようなネットワーク側装置によって構築されていることが多い。
【０００４】
広範囲で編成されている（局所的ではない）セルラ式でヒエラルキ的なこれらの無線ネットワークの他にも、通常の場合空間的に明確にはっきりと境界付けされている無線占有領域を有する無線ローカルネットワーク（ＷＬＡＮ；Wireless Local Area Network）も存在する。ＷＬＡＮの無線アクセスポイント（ＡＰ：Access Point）によってカバーされるセルは数百メートルもの直径を有しているが、これは通常の移動無線セルに比べれば小さい。ＷＬＡＮに関する種々の標準の例としてハイパーＬＡＮ、ＤＥＣＴ、ＩＥＥＥ８０２．１１、ブルートゥースおよびＷＡＴＭが挙げられる。
【０００５】
多くの無線通信システムにおいては、セル毎に通常の場合中央に配置されている１つのネットワーク側アンテナが無線局へのメッセージの送信に使用されているが、無線セル毎に複数のネットワーク側アンテナを使用することも可能である。この場合無線局に対するメッセージを同時に複数のネットワーク側アンテナを介して放射することができる。無線局へのメッセージが複数のネットワーク側アンテナを介して放射される場合には、この放射により近傍に存在する他の無線局へのメッセージ伝送への妨害的な干渉が生じることも考えられる。したがって、無線局へのメッセージを限られた数のネットワーク側アンテナを介してのみ放射することは有利である。
【０００６】
本発明の課題は、メッセージが多数のネットワーク側アンテナを介して無線局に送信される、効率的な通信方法を提供することである。さらには、本方法を実施するためのネットワーク側装置およびネットワーク側装置用のコンピュータプログラム製品が提供されるべきである。
【０００７】
この課題は、方法に関しては請求項１の特徴部分に記載された方法によって解決される。ネットワーク側装置およびコンピュータプログラム製品に関する課題は、別の独立請求項の特徴部分に記載されたネットワーク側装置およびコンピュータプログラム製品によって解決される。
【０００８】
有利な実施形態および発展形態は従属請求項に記載されている。
【０００９】
本方法はネットワーク側装置および無線局を包含する無線通信システムにおいて適用される。無線局のメッセージはネットワーク側アンテナによって受信される。この受信に続いて有効データメッセージが多数のネットワーク側アンテナを介して無線局に伝送される。本発明によれば、ネットワーク側アンテナの多数のネットワーク側アンテナへの所属は、どのネットワーク側アンテナが無線局のメッセージを受信したかに依存する。ネットワーク側において受信されるメッセージは、シグナリングメッセージの受信に基づき送信される応答メッセージである。シグナリングメッセージは応答メッセージの送信を無線局に要求し、また少なくとも１つのネットワーク側アンテナを介して無線局に伝送される。
【００１０】
無線通信システムのネットワーク側装置として、例えばネットワーク側アンテナ、アンテナを制御する装置および送信すべきメッセージの作成および受信したメッセージの処理を行う装置が考えられる。無線局は例えば種々の加入者局、殊に移動加入者局を包含することができる。有利には無線通信システムとしてセルラシステムが考えられ、この場合各無線局は１つまたは複数のネットワーク側アンテナを有する。無線セル毎に複数のネットワーク側アンテナが設けられている場合、それぞれの無線セルの全てのネットワーク側アンテナは、放射されるべきメッセージをネットワーク側アンテナに伝送するネットワーク側装置と接続されている。種々の無線セルのネットワーク側アンテナは、これらのアンテナから放射されるべきメッセージを種々のネットワーク側装置から受け取る。
【００１１】
受信することによって、どのネットワーク側アンテナが今後無線局に送信すべき有効データメッセージを送信することができるかを受信によりネットワーク側において判断させることができる無線局のメッセージは、殊に無線局の識別情報を包含することができる。どのネットワーク側アンテナを介して無線局のメッセージが受信されたかを評価した後に、有効データメッセージが無線局に多数のアンテナを介して送信される。多数のネットワーク側アンテナの構成、すなわちどのネットワーク側アンテナから多数のネットワーク側アンテナが構成されるかという問題に関しては、無線局のメッセージを受信した、ないし最小受信レベルで受信した全てのネットワーク側アンテナが有効データメッセージを無線局に送信するように定めることができる。しかしながら、どのネットワーク側アンテナが無線局のメッセージを受信したかという判定基準の他に、例えば使用することができるネットワーク側アンテナの最小数または最大数、ネットワーク側アンテナの負荷および／またはネットワーク側アンテナの地理的またはセル的な分布ないし配置のような、多数のネットワーク側アンテナを確定するための別の判定基準も使用することができる。
【００１２】
多数のネットワーク側アンテナの内の複数のネットワーク側アンテナが無線通信システム内の異なる位置に存在する場合、すなわち複数のネットワーク側アンテナが無線伝送に使用される波長に対して大きい距離によって隔てられている場合には有利である。セルラシステムにおいては、例えば１つのセルの複数のネットワーク側アンテナをほぼ規則的にセルにわたり分散させることができる。有利には、多数のネットワーク側アンテナを介する無線局への有効データメッセージの送信は時間的に同期して行われるか、少なくともほぼ同期して行われるか、個々のネットワーク側アンテナを介する有効データメッセージの送信間のネットワーク側において定められた時間差で行われる。
【００１３】
シグナリングメッセージがネットワーク側アンテナのグループを介して送信される場合は有利であり、このグループは後に有効データメッセージを無線局に送信する多数のネットワーク側アンテナを包含する。シグナリングメッセージは殊に無線局の識別情報を包含することができる。
【００１４】
無線局には、無線局へのメッセージの送信に適したネットワーク側アンテナをネットワーク側において選択するために使用することができるメッセージを送信することが明示的に要求される。殊に、シグナリングメッセージが専ら応答メッセージを要求するために送信されることも考えられる。
【００１５】
有利には、シグナリングメッセージが規則的な第１の時間間隔をおいて送信される。シグナリングメッセージのタイプのメッセージが最後に送信されて以来所定の第２の時間間隔が経過しているという条件の下で、有効データメッセージの送信の前にシグナリングメッセージが無線局に送信されることも考えられる。後者の実施形態は、ネットワーク側において無線局への有効データメッセージが存在する場合に、どのネットワーク側アンテナを送信に使用することができるかが何時最後に検出されたかを検査することも可能である。この最後の検出が第２の時間間隔よりも以前に行われている場合には、有効データメッセージの送信の前に適切なネットワーク側アンテナを確定するためにシグナリングメッセージを送信することができる。シグナリングメッセージの規則的な送信と具体的な機会に起因するシグナリングメッセージの送信、すなわちシグナリングメッセージが有効データメッセージの送信の前に送信されるべきか否かの検査とを組み合わせることも可能である。
【００１６】
シグナリングメッセージが無線通信システムの１つまたは複数の無線セルの全てのネットワーク側アンテナを介して、または無線通信システムの全てのネットワーク側アンテナを介して送信されることも考えられる。どのネットワーク側アンテナを介してシグナリングメッセージが無線局に送信されるかの決定を、無線通信システムにおける無線局の目下の位置がどの程度正確に知られているかに依存させることができる。
【００１７】
さらには、多数のネットワーク側アンテナが無線通信システムの同一の無線セルに属すること、もしくは多数のネットワーク側アンテナの内の少なくとも幾つかのネットワーク側アンテナが無線通信システムの種々の無線セルに属することが可能である。これによって、種々の無線セル間のハンドオーバプロセスを簡略化することができる。
【００１８】
本発明の有利な実施形態においては、シグナリングメッセージがそれぞれの無線セルの識別情報を包含し、これらの無線セルの１つまたは複数のネットワーク側アンテナを介してシグナリングメッセージが送信され、また応答メッセージはその１つまたは複数のネットワーク側アンテナから無線局がシグナリングメッセージを受信した１つまたは複数の無線セルの識別情報を包含する。シグナリングメッセージが複数の無線セルのネットワーク側アンテナを介して放射される場合、シグナリングメッセージがこの無線セルにおいてそれぞれ種々のセル固有の識別情報を有する。無線局がシグナリングメッセージを単一の無線セルの複数のネットワーク側アンテナを介してしか受信しない場合には、応答メッセージはこの無線セルだけの識別情報を包含する。これに対して無線局がシグナリングメッセージを第１および第２の無線セルの複数のネットワーク側アンテナを介して受信する場合には、応答メッセージはこれら２つの無線セルの識別情報を包含する。
【００１９】
本発明によるネットワーク側の装置は以下のものを有する：ネットワーク側アンテナを介して無線局のメッセージを受信するため、またはネットワーク側アンテナを介する無線局のメッセージの受信に関する情報を受信するための手段を有し、この際ネットワーク側で受信されるメッセージは、少なくとも１つのネットワーク側アンテナを介して無線局（ＭＳ）に伝送され、無線局に応答メッセージを送信することを要求するシグナリングメッセージの受信に基づき送信される応答メッセージであり、また多数のネットワーク側アンテナを介して有効データメッセージが無線局に送信されることを指示する手段を有し、またどのネットワーク側アンテナが無線局のメッセージを受信したかに依存して、多数のネットワーク側アンテナへの複数のネットワーク側アンテナの所属を決定する手段を有する。
【００２０】
本発明によるネットワーク側装置に設けられている手段を殊にコンピュータプログラム製品によって実現することができる。本発明との関係においてコンピュータプログラム製品とは、（プログラムと計算ユニットとの間の通常の物理的な相互作用を超える技術的な作用を有する）本来のコンピュータプログラムの他に、殊にコンピュータプログラム用の記録媒体、ファイルコレクション、コンフィギュレーションされた計算ユニットであると解されるが、例えばコンピュータプログラムに関連する１つまたは複数のファイルが記憶されている記憶装置またはサーバであるとも解される。
【００２１】
本発明によるネットワーク側装置、また本発明によるコンピュータプログラム製品も殊に本発明による方法を実施することに適しており、これは実施形態および発展形態にも該当する。このためにネットワーク側装置は別の適切な手段を有することができる。本発明によるネットワーク側装置を相互に接続されている複数のネットワーク側装置によって実現することもでき、これらのネットワーク側装置はそれぞれ手段を有している。
【００２２】
以下では本発明を実施例に基づき詳細に説明する。ここで、
図１は無線通信システムの一部を示し、
図２は本発明による方法の第１のフローチャートを示し、
図３は本発明による方法の第２のフローチャートを示し、
図４は本発明によるネットワーク側制御装置の概略的な構造を示す。
【００２３】
図１には雲状のものにより示されている無線通信システム２つの無線セルＦＺ１およびＦＺ２が示されている。第１の無線セルＦＺ１には３つのネットワーク側アンテナＡＮＴ−１，ＡＮＴ−ＢおよびＡＮＴ−Ｃが分散的に存在しており、これらのネットワーク側アンテナは第１の制御装置ＡＰＳ１（ＡＰＳ：アンテナ処理局（Antenna Processing Station））と接続されている。アンテナＡＮＴ−Ａ，ＡＮＴ−ＢおよびＡＮＴ−Ｃが無線局、例えば移動局ＭＳからのメッセージの受信および無線局へのメッセージの送信を担当している間は、無線信号の各処理が制御装置ＡＰＳ１において行われる。相応のことは、２つのネットワーク側アンテナＡＮＴ−ＤおよびＡＮＴ−Ｅが第２の制御装置ＡＰＳ２と接続されている第２の無線セルＦＺ２にも該当する。２つの制御装置ＡＰＳ１およびＡＰＳ２は、必要に応じて別の装置を介して、相互に接続されている。分かりやすくするために、さらなる無線セル、インフラストラクチャ装置および加入者側無線局は図１には示していない。
【００２４】
本明細書において無線セルとは、共通の制御装置と接続されているネットワーク側アンテナによって管理される地理的な領域であると解される。したがって種々の無線セルのアンテナは直接的に同一の制御装置とは接続されていない。種々の無線セルが重畳していても良い。
【００２５】
メッセージが下り方向において移動局ＭＳに送信される場合には、送信が同時に多数のネットワーク側アンテナを介して行われる。移動局ＭＳは種々のネットワーク側アンテナの信号を組み合わせ、これにより単一のネットワーク側アンテナを介してメッセージが送信される場合よりも確実にメッセージを復号することができる。ここで有利には、移動局ＭＳがその目下の所在地を基礎として信号を受信することができるアンテナを介してのみメッセージが送信される。これを超えてアンテナが使用されれば、他の加入者局のメッセージに対する不必要な干渉が生じる。
【００２６】
どのアンテナを介してメッセージが移動局ＭＳに送信されるべきかを求めるために種々の実施形態が提案される。第１の実施形態のフローチャートが図２に示されている。最初に移動局ＭＳがブロードキャストでこの移動局ＭＳの識別情報を包含するメッセージＭＥＳＳＡＧＥを送信する。メッセージＭＥＳＳＡＧＥは移動局ＭＳの無線到達範囲内に存在するアンテナによって受信される。移動局ＭＳの無線到達範囲およびネットワーク側アンテナＡＮＴ−Ａ、ＡＮＴ−Ｂ，ＡＮＴ−Ｃ，ＡＮＴ−ＤおよびＡＮＴ−Ｅの無線到達範囲はほぼ等しい大きさであるものとする。
【００２７】
図２には、メッセージＭＥＳＳＡＧＥがアンテナＡＮＴ−Ａ，ＡＮＴ−ＢおよびＡＮＴ−Ｃによって受信される場合が示されている。この状況を例えば移動局ＭＳの図１に示されている位置に対応させることができる。メッセージＩＮＦＯＲＭによって３つのアンテナＡＮＴ−Ａ，ＡＮＴ−ＢおよびＡＮＴ−Ｃは、これらのアンテナＡＮＴ−Ａ，ＡＮＴ−ＢおよびＡＮＴ−ＣがメッセージＭＥＳＳＡＧＥを移動局ＭＳから受信したことを制御装置ＡＰＳ１に通知するか、３つのアンテナＡＮＴ−Ａ，ＡＮＴ−ＢおよびＡＮＴ−Ｃは移動局ＭＳのメッセージＭＥＳＳＡＧＥを制御装置ＡＰＳ１に転送する。ネットワーク側において移動局ＭＳに対するメッセージＤＡＴＡが存在する場合には、このメッセージＤＡＴＡが制御装置ＡＰＳ１から３つのアンテナＡＮＴ−Ａ，ＡＮＴ−ＢおよびＡＮＴ−Ｃに送信され、これらのアンテナＡＮＴ−Ａ，ＡＮＴ−ＢおよびＡＮＴ−ＣはメッセージＤＡＴＡを移動局ＭＳに転送する。
【００２８】
移動局ＭＳはメッセージＭＥＳＳＡＧＥを自発的に規則的な時間間隔Ｔ−ＭＳで送信する。メッセージＭＥＳＳＡＧＥが再び送信されるまでは、先行するメッセージＭＥＳＳＡＧＥの受信に基づき求められたアンテナＡＮＴ−Ａ，ＡＮＴ−ＢおよびＡＮＴ−Ｃが移動局ＭＳへのメッセージの送信に使用される。メッセージＭＥＳＳＡＧＥの個々の送信間の間隔の長さはネットワークから移動局ＭＳに通知される。ここで、移動局ＭＳが頻繁にメッセージを受信する場合には、短い時間間隔でのメッセージＭＥＳＳＡＧＥの送信が有利であるということを考慮することができる。これによって、移動局ＭＳが受信することができないメッセージの複数のアンテナを介する過剰に頻繁な送信を回避することができる。他方では、移動局ＭＳへのメッセージが殆ど存在しない場合には、メッセージＭＥＳＳＡＧＥが比較的長い間隔Ｔ−ＭＳで送信されることはより好適である。これによって、メッセージＭＥＳＳＡＧＥの送信により生じるシグナリングオーバヘッドを回避することができる。
【００２９】
図２には、次に移動局ＭＳから送信されるメッセージＭＥＳＳＡＧＥがアンテナＡＮＴ−Ｂ，ＡＮＴ−ＣおよびＡＮＴ−Ｄによって受信される場合が示されている。このことは図１に関連して、移動局ＭＳが上方および／または右方に移動した状況に対応するものとする。アンテナＡＮＴ−Ｂ，ＡＮＴ−ＣおよびＡＮＴ−Ｄは制御装置にメッセージＩＮＦＯＲＭを用いて、これらのアンテナＡＮＴ−Ｂ，ＡＮＴ−ＣおよびＡＮＴ−Ｄが移動局ＭＳのメッセージＭＥＳＳＡＧＥを受信したことを通知するか、３つのアンテナＡＮＴ−Ｂ，ＡＮＴ−ＣおよびＡＮＴ−Ｄは移動局ＭＳのメッセージＭＥＳＳＡＧＥを制御装置ＡＰＳ１に転送する。アンテナＡＮＴ−Ｄによる制御装置ＡＰＳ１のメッセージ通知を、このアンテナＡＮＴ−Ｄと接続されている制御装置ＡＰＳ２を介して行うことができる。択一的に、２つのアンテナＡＮＴ−ＢおよびＡＮＴ−Ｃがこれらのアンテナに対応付けられている制御装置ＡＰＳ１に情報を提供し、またアンテナＡＮＴ−ＤがこのアンテナＡＮＴ−Ｄに対応付けられている制御装置ＡＰＳ２に情報を通知し、これにより２つの制御装置ＡＰＳ１およびＡＰＳ２がメッセージＭＥＳＳＡＧＥの受信に関する情報をそれらの無線セルに転送するか、メッセージＭＥＳＳＡＧＥを共通のネットワーク側装置に転送し、このネットワーク側装置が移動局ＭＳに送信されるべきメッセージＤＡＴＡを伝送する。_続いてメッセージＤＡＴＡの移動局ＭＳへの送信が３つのアンテナＡＮＴ−Ｂ，ＡＮＴ−ＣおよびＡＮＴ−Ｄを介して行われる。
【００３０】
別の実施形態が図３に示されている。図２においては、どのアンテナを介して後続のメッセージが移動局ＭＳに送信されるべきかがその受信から導出されるメッセージＭＥＳＳＡＧＥを移動局ＭＳが自発的に送信するのに対し、図３に示されている方法の経過の開始時にはメッセージＡＤＲ（ＡＤＲ：アンテナ検出要求（Antenna Detection Request））の移動局ＭＳへの送信が行われ、このメッセージを用いて移動局ＭＳにはこの移動局ＭＳの識別情報を取得し、その識別情報を有するシグナリングメッセージを送信することが要求される。メッセージＡＤＲが３つのアンテナＡＮＴ−Ａ，ＡＮＴ−ＢおよびＡＮＴ−Ｃを介して移動局ＭＳに送信される。この場合、移動局ＭＳが無線セルＦＺ１内または少なくとも無線セルＦＺ１の近傍領域内に存在していることがネットワーク側において既知であることが前提とされる。しかしながら、メッセージＡＤＲが多数の無線セルのアンテナを介して、または無線通信システムの全てのアンテナを介して送信されることも考えられる。
【００３１】
メッセージＡＤＲの受信に応答して、移動局ＭＳは自身の識別情報を包含するメッセージＡＤＤ（ＡＤＤ：アンテナ検出終了（Antenna Detection Done））を送信し、このメッセージＡＤＤがアンテナＡＮＴ−ＢおよびＡＮＴ−Ｃによって受信される。アンテナＡＮＴ−ＢおよびＡＮＴ−Ｃが制御装置にメッセージＩＮＦＯＲＭを用いて、これらのアンテナＡＮＴ−ＢおよびＡＮＴ−ＣがメッセージＡＤＲを移動局ＭＳから受信したことを通知するか、移動局ＭＳからのメッセージＡＤＲを制御装置ＡＰＳ１に転送する。続いてメッセージＤＡＴＡが、メッセージＡＤＲを移動局ＭＳから受信したアンテナＡＮＴ−ＢおよびＡＮＴ−Ｃを介して移動局ＭＳに送信される。
【００３２】
メッセージＡＤＲを規則的な時間間隔で送信することができる。しかしながら有利には、メッセージＡＤＲはネットワーク側において移動局ＭＳへのメッセージが存在する場合には常に送信される。移動局ＭＳへのメッセージが存在する場合には、最後のメッセージＡＤＲが何時送信されたかを検査し、最後の送信が行われて以降に所定の時間間隔が経過した場合にのみ新たなメッセージを送信することも可能である。
【００３３】
メッセージＡＤＲを、このメッセージが送信される無線セルの識別情報と共に構成することができる。メッセージＡＤＲが複数の無線セルにおいて送信される場合には、各無線セルにおいてそれぞれの無線セルに対応する識別情報がメッセージＡＤＲに付加される。移動局ＭＳがメッセージＡＤＲに対する応答ＡＤＤを送信する場合には、移動局ＭＳがメッセージＡＤＲを受信したアンテナを有する無線セルの識別情報を応答ＡＤＤに付加する。このことは移動局ＭＳがメッセージＡＤＲを種々の無線セルのアンテナから受信する場合には殊に有利である。この場合には、メッセージＡＤＤの評価によって無線セルの制御装置には、移動局は他の無線セルのアンテナも受信できることが知らされ、この事実をそれぞれの制御装置に他の制御装置または他のネットワーク側装置から通知する必要はない。
【００３４】
移動局ＭＳへのメッセージ送信のために使用すべきアンテナを検出することを目的としたメッセージＡＤＲの送信に択一的にまたは補完的に、以下説明する、図３の右側に示されている方法も適用することができる。メッセージＤＡＴＡの受信後に、移動局ＭＳはメッセージＤＡＴＡを受信したことを移動局ＭＳの識別情報を包含するメッセージＡＣＫの送信によって確認する。メッセージＡＣＫを受信したネットワーク側のアンテナ、図３においてはアンテナＡＮＴ−Ｂ，ＡＮＴ−ＣおよびＡＮＴ−Ｄが、上述したようにメッセージＩＮＦＯＲＭを用いて制御装置ＡＰＳ１ないし制御装置ＡＰＳ１およびＡＰＳ２に移動局ＭＳによるメッセージＡＣＫの受信に関する情報を提供するか、メッセージＡＣＫを移動局ＭＳからそれぞれの制御装置ＡＰＳ１ないしＡＰＳ２に転送する。これに基づき、移動局ＭＳへの後続のメッセージ送信のために３つのアンテナＡＮＴ−Ａ，ＡＮＴ−ＢおよびＡＮＴ−Ｃが使用される。移動局ＭＳの確認メッセージＡＣＫが将来のネットワーク側送信アンテナの検出のために使用されることによって付加的なシグナリングオーバヘッドは生じない。何故ならば、確認メッセージＡＣＫは本発明による方法とは関係なく通常の場合いずれにせよ送信されるからである。さらには確認メッセージＡＣＫを既述のように使用することにより、移動局ＭＳによって確認されるメッセージが送信される度に最適なアンテナを検出することができる。これにより、移動局ＭＳへのメッセージの送信が頻繁に行われる場合には本方法が継続的に使用される。
【００３５】
図４は制御装置ＡＰＳ１の概略的な構造を示す。手段ＲＥＣＥＩＶＥを介して制御装置ＡＰＳ１はメッセージＩＮＦＯＲＭないしネットワーク側アンテナによって受信されたメッセージをネットワーク側アンテナから受信する。手段ＤＥＣＩＤＥにおいてメッセージＩＮＦＯＲＭを評価した後に、制御装置ＡＰＳ１はどのアンテナを介して以降の移動局へのメッセージ送信を行うべきかを決定する。手段ＩＮＳＴＲＵＣＴを介して、手段ＤＥＣＩＤＥを用いて決定された相応のアンテナに、そのアンテナがメッセージをそれぞれの移動局に送信すべきことが通知される。ネットワーク側装置も、移動局にメッセージが種々の無線セルのアンテナを介して送信されるべき場合のために相応に構築されている。手段ＲＥＣＥＩＶＥがメッセージＩＮＦＯＲＭないし種々の無線セルにおいて受信されるメッセージをネットワーク側アンテナから直接的に受信するのではなく、それぞれのアンテナに対応付けられている制御装置を介して受信する。同様にして手段ＩＮＳＴＲＵＣＴは直接的にネットワーク側アンテナと通信するのではなく、それぞれのアンテナに対応付けられている制御装置を用いて通信する。
【図面の簡単な説明】
【００３６】
【図１】無線通信システムの一部。
【図２】本発明による方法の第１のフローチャート。
【図３】本発明による方法の第２のフローチャート。
【図４】本発明によるネットワーク側制御装置の概略的な構造。
【図１】
2007523552.tif 000003
【図２】
2007523552.tif 000004
【図３】
2007523552.tif 000005
【図４】
2007523552.tif 000006
【手続補正書】
【提出日】平成17年6月1日(2005.6.1)
【手続補正１】
【補正対象書類名】明細書
【補正対象項目名】０００４
【補正方法】変更
【補正の内容】
【０００４】
広範囲で編成されている（局所的ではない）セルラ式でヒエラルキ的なこれらの無線ネットワークの他にも、通常の場合空間的に明確にはっきりと境界付けされている無線占有領域を有する無線ローカルネットワーク（ＷＬＡＮ；Wireless Local Area Network）も存在する。ＷＬＡＮの無線アクセスポイント（ＡＰ：Access Point）によってカバーされるセルは数百メートルもの直径を有しているが、これは通常の移動無線セルに比べれば小さい。ＷＬＡＮに関する種々の標準の例としてハイパーＬＡＮ、ＤＥＣＴ、ＩＥＥＥ８０２．１１、ブルートゥースおよびＷＡＴＭが挙げられる。
刊行物WO 01/18991 A1にはセルラＣＤＭＡ無線通信システムが記載されている。基地局は移動局から上り方向に送信される信号の信号対ノイズ比を測定する。この測定結果に依存してそれぞれの移動局の通信のための１つまたは複数の下り方向無線チャネルが決定される。
刊行物WO 02/27972 A2には、基地局が複数のアンテナ要素を有する無線通信システムが記載されている。基地局が加入者局との通信を開始すると、基地局はページングメッセージを送信する。ページングメッセージを他の加入者局へのデータ伝送も包含するチャネルで送信することができる。これに関して、ページング信号に対するスマートアンテナ制御を決定するために基地局が他の加入者局から受信する信号が使用される。
【手続補正書】
【提出日】平成18年3月27日(2006.3.27)
【手続補正１】
【補正対象書類名】特許請求の範囲
【補正対象項目名】全文
【補正方法】変更
【補正の内容】
【特許請求の範囲】
【請求項１】
ネットワーク側装置（ＡＰＳ１，ＡＰＳ２，ＡＮＴ−Ａ，ＡＮＴ−Ｂ，ＡＮＴ−Ｃ，ＡＮＴ−Ｄ、ＡＮＴ−Ｅ）、無線局（ＭＳ）および多数の位置においてほぼ規則的に無線セルにわたり分散しているネットワーク側アンテナ（ＡＰＳ１，ＡＰＳ２，ＡＮＴ−Ａ，ＡＮＴ−Ｂ，ＡＮＴ−Ｃ，ＡＮＴ−Ｄ、ＡＮＴ−Ｅ）を包含する無線通信システムにおける通信方法であって、
前記ネットワーク側アンテナ（ＡＰＳ１，ＡＰＳ２，ＡＮＴ−Ａ，ＡＮＴ−Ｂ，ＡＮＴ−Ｃ，ＡＮＴ−Ｄ、ＡＮＴ−Ｅ）の内の少なくとも幾つかのネットワーク側アンテナによって無線局（ＭＳ）のメッセージ（ＡＤＤ）を受信し、
続いて、有効データメッセージ（ＤＡＴＡ）を多数のネットワーク側アンテナ（ＡＮＴ−Ａ，ＡＮＴ−Ｂ，ＡＮＴ−Ｃ，ＡＮＴ−Ｄ、ＡＮＴ−Ｅ）を介して前記無線局（ＭＳ）に伝送し、
前記多数のネットワーク側アンテナ（ＡＮＴ−Ａ，ＡＮＴ−Ｂ，ＡＮＴ−Ｃ，ＡＮＴ−Ｄ、ＡＮＴ−Ｅ）への複数のネットワーク側アンテナ（ＡＮＴ−Ａ，ＡＮＴ−Ｂ，ＡＮＴ−Ｃ，ＡＮＴ−Ｄ、ＡＮＴ−Ｅ）の所属は、どのネットワーク側アンテナ（ＡＮＴ−Ａ，ＡＮＴ−Ｂ，ＡＮＴ−Ｃ，ＡＮＴ−Ｄ、ＡＮＴ−Ｅ）が前記無線局（ＭＳ）の前記メッセージ（ＡＤＤ）を受信したかに依存する、無線通信システムにおける通信方法において、
前記無線局（ＭＳ）に応答メッセージ（ＡＤＤ）の送信を要求するシグナリングメッセージ（ＡＤＲ）を少なくとも１つのネットワーク側アンテナ（ＡＮＴ−Ａ，ＡＮＴ−Ｂ，ＡＮＴ−Ｃ，ＡＮＴ−Ｄ、ＡＮＴ−Ｅ）を介して前記無線局（ＭＳ）に伝送し、この際前記シグナリングメッセージ（ＡＤＲ）を専ら前記応答メッセージ（ＡＤＤ）の要求を目的として送信し、
ネットワーク側において受信される前記メッセージ（ＡＤＤ）は前記シグナリングメッセージ（ＡＤＲ）の受信に基づき送信される応答メッセージ（ＡＤＤ）であることを特徴とする、無線通信システムにおける通信方法。
【請求項２】
前記シグナリングメッセージ（ＡＤＲ）を規則的な第１の時間間隔をおいて送信する、請求項１記載の方法。
【請求項３】
前記シグナリングメッセージ（ＡＤＲ）と同じタイプのメッセージが最後に送信されて以来所定の第２の時間間隔が経過しているという条件下で、前記有効データメッセージ（ＤＡＴＡ）の送信の前に前記シグナリングメッセージ（ＡＤＲ）を前記無線局（ＭＳ）に送信する、請求項１または２記載の方法。
【請求項４】
前記シグナリングメッセージ（ＡＤＲ）を前記無線通信システムの１つまたは複数の無線セル（ＦＺ１，ＦＺ２）の全てのネットワーク側アンテナ（ＡＮＴ−Ａ，ＡＮＴ−Ｂ，ＡＮＴ−Ｃ，ＡＮＴ−Ｄ，ＡＮＴ−Ｅ）を介して、または前記無線通信システムの全てのネットワーク側アンテナ（ＡＮＴ−Ａ，ＡＮＴ−Ｂ，ＡＮＴ−Ｃ，ＡＮＴ−Ｄ，ＡＮＴ−Ｅ）を介して送信する、請求項１から３までのいずれか１項記載の方法。
【請求項５】
前記多数のネットワーク側アンテナ（ＡＮＴ−Ａ，ＡＮＴ−Ｂ，ＡＮＴ−Ｃ，ＡＮＴ−Ｄ，ＡＮＴ−Ｅ）は前記無線通信システムの同一の無線セル（ＦＺ１，ＦＺ２）に属するか、
前記多数のネットワーク側アンテナ（ＡＮＴ−Ａ，ＡＮＴ−Ｂ，ＡＮＴ−Ｃ，ＡＮＴ−Ｄ，ＡＮＴ−Ｅ）の内の少なくとも幾つかのネットワーク側アンテナ（ＡＮＴ−Ａ，ＡＮＴ−Ｂ，ＡＮＴ−Ｃ，ＡＮＴ−Ｄ，ＡＮＴ−Ｅ）が前記無線通信システムの種々の無線セル（ＦＺ１，ＦＺ２）に属する、請求項１から４までのいずれか１項記載の方法。
【請求項６】
前記シグナリングメッセージ（ＡＤＲ）は、該シグナリングメッセージ（ＡＤＲ）を送信するネットワーク側アンテナ（ＡＮＴ−Ａ，ＡＮＴ−Ｂ，ＡＮＴ−Ｃ，ＡＮＴ−Ｄ，ＡＮＴ−Ｅ）を有するそれぞれの無線セル（ＦＺ１，ＦＺ２）の識別情報を包含し、
前記応答メッセージ（ＡＤＤ，ＡＣＫ）は、前記無線局（ＭＳ）が前記シグナリングメッセージ（ＡＤＲ）を受信した１つまたは複数のネットワーク側アンテナ（ＡＮＴ−Ａ，ＡＮＴ−Ｂ，ＡＮＴ−Ｃ，ＡＮＴ−Ｄ，ＡＮＴ−Ｅ）を有する１つまたは複数の無線セル（ＦＺ１，ＦＺ２）の識別情報を包含する、請求項１から５までのいずれか１項記載の方法。
【請求項７】
多数の位置においてほぼ規則的に無線セルにわたり分散しているネットワーク側アンテナ（ＡＰＳ１，ＡＰＳ２，ＡＮＴ−Ａ，ＡＮＴ−Ｂ，ＡＮＴ−Ｃ，ＡＮＴ−Ｄ、ＡＮＴ−Ｅ）を包含する無線通信システムにおけるネットワーク側装置（ＡＰＳ１）において、
無線局（ＭＳ）のメッセージ（ＡＤＤ）を前記ネットワーク側アンテナ（ＡＮＴ−Ａ，ＡＮＴ−Ｂ，ＡＮＴ−Ｃ，ＡＮＴ−Ｄ、ＡＮＴ−Ｅ）の内の少なくとも幾つかのネットワーク側アンテナを介して受信するため、またはネットワーク側アンテナ（ＡＮＴ−Ａ，ＡＮＴ−Ｂ，ＡＮＴ−Ｃ，ＡＮＴ−Ｄ、ＡＮＴ−Ｅ）の内の少なくとも幾つかのネットワーク側アンテナを介して受信された無線局（ＭＳ）のメッセージ（ＡＤＤ）の受信に関する情報を受信するための手段（ＲＥＣＥＩＶＥ）を有し、ネットワーク側において受信された前記メッセージ（ＡＤＤ）は、少なくとも１つのネットワーク側アンテナ（ＡＮＴ−Ａ，ＡＮＴ−Ｂ，ＡＮＴ−Ｃ，ＡＮＴ−Ｄ、ＡＮＴ−Ｅ）を介して前記無線局（ＭＳ）に伝送され、応答メッセージ（ＡＤＤ）の送信を前記無線局（ＭＳ）に要求し、前記応答メッセージ（ＡＤＤ）を専ら要求することを目的として送信されるシグナリングメッセージ（ＡＤＲ）の受信に基づき送信される応答メッセージ（ＡＤＤ）であり、
多数のネットワーク側アンテナ（ＡＮＴ−Ａ，ＡＮＴ−Ｂ，ＡＮＴ−Ｃ，ＡＮＴ−Ｄ、ＡＮＴ−Ｅ）を介して有効データメッセージ（ＤＡＴＡ）を前記無線局（ＭＳ）に送信することを指示する手段（ＩＮＳＴＲＵＣＴ）を有し、
どのネットワーク側アンテナ（ＡＮＴ−Ａ，ＡＮＴ−Ｂ，ＡＮＴ−Ｃ，ＡＮＴ−Ｄ、ＡＮＴ−Ｅ）が前記無線局（ＭＳ）の前記メッセージ（ＡＤＤ）を受信したかに依存して、前記多数のネットワーク側アンテナ（ＡＮＴ−Ａ，ＡＮＴ−Ｂ，ＡＮＴ−Ｃ，ＡＮＴ−Ｄ、ＡＮＴ−Ｅ）への複数のネットワーク側アンテナ（ＡＮＴ−Ａ，ＡＮＴ−Ｂ，ＡＮＴ−Ｃ，ＡＮＴ−Ｄ、ＡＮＴ−Ｅ）の所属を決定する手段（ＤＥＣＩＤＥ）を有することを特徴とする、無線通信システムにおけるネットワーク側装置（ＡＰＳ１）。
【請求項８】
多数の位置においてほぼ規則的に無線セルにわたり分散しているネットワーク側アンテナ（ＡＰＳ１，ＡＰＳ２，ＡＮＴ−Ａ，ＡＮＴ−Ｂ，ＡＮＴ−Ｃ，ＡＮＴ−Ｄ、ＡＮＴ−Ｅ）を包含する無線通信システムにおけるネットワーク側装置（ＡＰＳ１）用のコンピュータプログラム製品において、
前記ネットワーク側アンテナ（ＡＮＴ−Ａ，ＡＮＴ−Ｂ，ＡＮＴ−Ｃ，ＡＮＴ−Ｄ、ＡＮＴ−Ｅ）の内の少なくとも幾つかのネットワーク側アンテナを介して受信された無線局（ＭＳ）のメッセージ（ＡＤＤ）の受信に関する情報を受信するための手段を有し、ネットワーク側において受信された前記メッセージ（ＡＤＤ）は、少なくとも１つのネットワーク側アンテナ（ＡＮＴ−Ａ，ＡＮＴ−Ｂ，ＡＮＴ−Ｃ，ＡＮＴ−Ｄ、ＡＮＴ−Ｅ）を介して前記無線局（ＭＳ）に伝送され、応答メッセージ（ＡＤＤ）の送信を前記無線局（ＭＳ）に要求し、前記応答メッセージ（ＡＤＤ）を専ら要求することを目的として送信されるシグナリングメッセージ（ＡＤＲ）の受信に基づき送信される応答メッセージ（ＡＤＤ）であり、
多数のネットワーク側アンテナ（ＡＮＴ−Ａ，ＡＮＴ−Ｂ，ＡＮＴ−Ｃ，ＡＮＴ−Ｄ、ＡＮＴ−Ｅ）を介して有効データメッセージ（ＤＡＴＡ）が前記無線局（ＭＳ）に送信されることを規定する手段を有し、
どのネットワーク側アンテナ（ＡＮＴ−Ａ，ＡＮＴ−Ｂ，ＡＮＴ−Ｃ，ＡＮＴ−Ｄ、ＡＮＴ−Ｅ）が前記無線局（ＭＳ）の前記メッセージ（ＭＥＳＳＡＧＥ；ＡＤＤ，ＡＣＫ）を受信したかに依存して、前記多数のネットワーク側アンテナ（ＡＮＴ−Ａ，ＡＮＴ−Ｂ，ＡＮＴ−Ｃ，ＡＮＴ−Ｄ、ＡＮＴ−Ｅ）への複数のネットワーク側アンテナ（ＡＮＴ−Ａ，ＡＮＴ−Ｂ，ＡＮＴ−Ｃ，ＡＮＴ−Ｄ、ＡＮＴ−Ｅ）の所属を決定する手段を有することを特徴とする、コンピュータプログラム製品。
【国際調査報告】
2007523552.tif 000007
2007523552.tif 000008
2007523552.tif 000009
2007523552.tif 000010